(57)【特許請求の範囲】
【請求項１】
光源と、光源近傍を第１焦点とし、第２焦点が光源の前方に位置する楕円面となっている第１の反射鏡と、第１の反射鏡からの光を第１の反射鏡の前方に反射する曲面となっており、第１の反射鏡と光源との間に配置される第２の反射鏡とを備え、前記光源が前記第１の反射鏡の第１焦点及び第２焦点を結ぶ焦点軸に対し傾斜して配置されることにより一の照明アッシーが構成されており、この照明アッシーの複数が多段状に配置されると共に、段状に隣接する一の照明アッシーの第１の反射鏡と他の照明アッシーの第２の反射鏡とが連設状に一体的に形成されていることを特徴とする照明装置。
【請求項２】
光源と、光源近傍を第１焦点とし、第２焦点が光源の前方に位置する楕円面となっている第１の反射鏡と、第１の反射鏡からの光を第１の反射鏡の前方に反射する曲面となっており、第１の反射鏡と光源との間に配置される第２の反射鏡とを備え、前記光源が前記第１の反射鏡の第１焦点及び第２焦点を結ぶ焦点軸に対し傾斜して配置されることにより一の照明アッシーが構成されており、この照明アッシーの複数が多段状に配置されると共に、段状に隣接する一の照明アッシーの第１の反射鏡または第２の反射鏡と他の照明アッシーの第１の反射鏡または第２の反射鏡とが連設状に一体的に形成されていることを特徴とする照明装置。
【請求項３】
請求項１または２の照明アッシーが多角形状または同心円上に複数配置されていることを特徴とする照明装置。
【請求項４】
前記第１の反射鏡及び／又は第２の反射鏡は透明樹脂で成形されており、光源から離れる側の面が光輝処理されているとともに、光源側の面に光輝処理が成されていないことを特徴とする請求項１〜３の何れかに記載の照明装置。
【請求項５】
前記第１の反射鏡及び／又は第２の反射鏡を成型する透明樹脂が着色されていることを特徴とする請求項４に記載の照明装置。
【発明の詳細な説明】
【０００１】
【発明の属する技術分野】
本発明は、自動車のテールランプ、ストップランプ、ポジションランプ等の信号灯に用いられる照明装置に関する。
【０００２】
【従来の技術】
上述のような信号灯では、ネオン管のような線状の光源ではなく、ＬＥＤ等の点に近い光源を用いて横長の線状の光を出射している。図１６及び図１７は上述した信号灯に用いられている従来の照明装置を示し、光源１００と、シリンドリカルレンズ等の集光レンズ１１０と、集光レンズ１１０の前方に配置されたスリット板１２０とを備えている。
【０００３】
光源１００はＬＥＤ等の点光源が使用される一方、集光レンズ１１０は横長状に形成されて光源１００からの光を横方向に拡散するようになっている。スリット板１２０には、横長のスリット１３０が形成され、このスリット１３０が集光レンズ１１０の焦点に位置するようにスリット板１２０が配置される。これにより、光源１００からの光が横長となってスリット１３０に集光した後、スリット１３０から外部へ射出する。
【０００４】
【発明が解決しようとする課題】
しかしながら、従来の照明装置では、線状に光ることができるが、スリット１３０を介して照明装置の内部を見たとき、光源１００部分が周囲よりも際だって明るいため、図１７の符号１５０で示すように光源１００が点状に視認される。このため、光が横長方向に均等となっておらず、一様の明るさで照明することが難しい問題を有している。又、従来の照明装置では、光源１００の光量を十分に活用したものとはなっていない。
【０００５】
本発明は、このような従来の問題点を考慮してなされたものであり、点に近い光源を用いても、光源だけが際だつことなく、一様の明るさで照明することができ、しかも光源からの光量を照明に十分に活用することが可能な照明装置を提供することを目的とする。
【０００６】
【課題を解決するための手段】
上記目的を達成するため、請求項１の発明は光源と、光源近傍を第１焦点とし、第２焦点が光源の前方に位置する楕円面となっている第１の反射鏡と、第１の反射鏡からの光を第１の反射鏡の前方に反射する曲面となっており、第１の反射鏡と光源との間に配置される第２の反射鏡とを備え、前記光源が前記第１の反射鏡の第１焦点及び第２焦点を結ぶ焦点軸に対し傾斜して配置されることにより一の照明アッシーが構成されており、この照明アッシーの複数が多段状に配置されると共に、段状に隣接する一の照明アッシーの第１の反射鏡と他の照明アッシーの第２の反射鏡とが連設状に一体的に形成されていることを特徴とする。
【０００７】
この発明では、照明アッシーが多段状となっており、複数の照明アッシーによって照明を行うため、明るく照明することが出来る。各照明アッシーでは、光源が際立って光ることがないと共に、光を均等に拡散することができる。さらに、この発明では、段状に隣接する一の照明アッシーの第１の反射鏡と他の照明アッシーの第２の反射鏡とが連設状に一体的に形成されているため、全体としての部品点数が少なくなり、組立を簡単に行うことができる。
【０００８】
請求項２の発明は光源と、光源近傍を第１焦点とし、第２焦点が光源の前方に位置する楕円面となっている第１の反射鏡と、第１の反射鏡からの光を第１の反射鏡の前方に反射する曲面となっており、第１の反射鏡と光源との間に配置される第２の反射鏡とを備え、前記光源が前記第１の反射鏡の第１焦点及び第２焦点を結ぶ焦点軸に対し傾斜して配置されることにより一の照明アッシーが構成されており、この照明アッシーの複数が多段状に配置されると共に、段状に隣接する一の照明アッシーの第１の反射鏡または第２の反射鏡と他の照明アッシーの第１の反射鏡または第２の反射鏡とが連設状に一体的に形成されていることを特徴とする。
【０００９】
この発明では、請求項１の発明と同様に、照明アッシーが多段状となっており、複数の照明アッシーによって照明を行うため、明るく照明することが出来る。各照明アッシーでは、光源が際立って光ることがないと共に、光を均等に拡散することができる。さらに、この発明では、段状に隣接する一の照明アッシーの第１の反射鏡または第２の反射鏡と他の照明アッシーの第１の反射鏡または第２の反射鏡とが連設状に一体的に形成されているため、全体としての部品点数が少なくなり、組立を簡単に行うことができる。
【００１０】
請求項３の発明は請求項１または２の照明アッシーが多角形状または同心円上に複数配置されていることを特徴とする。
【００１１】
この発明では、複数の照明装置或いは複数の照明アッシーが多角形状や同心円上に配置されるため、均等にしかも明るく照明することができる。
【００１２】
請求項４の発明は前記第１の反射鏡及び／又は第２の反射鏡は透明樹脂で成形されており、光源から離れる側の面が光輝処理されているとともに、光源側の面に光輝処理が成されていないことを特徴とする。
【００１３】
この発明では、光輝処理を行う面を第１の反射鏡、第２の反射鏡とさらに明確にし、これによりこれらの面が光って見えるため、高級感を付与することができる。
【００１４】
請求項５の発明は前記第１の反射鏡及び／又は第２の反射鏡を成型する透明樹脂が着色されていることを特徴とする請求項４に記載の照明装置である。
【００１５】
この発明では、請求項４の発明と同様に、光輝処理を行う面を第１の反射鏡、第２の反射鏡とさらに明確にし、これによりこれらの面が光って見えるため、高級感を付与することができる。また、反射鏡の基材を着色透明樹脂に限定することにより、作用をより高めることができる。
【００２２】
【発明の実施の形態】
以下、本発明を図示する実施の形態により具体的に説明する。なお、各実施の形態において、同一の要素は同一の符号を付して対応させてある。
【００２３】
（実施の形態１）
図１は、本発明の実施の形態１を示し、光源１と、第１の反射鏡２と、第２の反射鏡３とを備えている。光源１としては、ＬＥＤ等の点光源が使用される。第１の反射鏡及び第２の反射鏡は、光源１の光軸４上の前方に位置している。この実施の形態では、これらの反射鏡２，３は、共に楕円面となっており、それぞれの凹面が対向するように配置されている。
【００２４】
第１の反射鏡２は、その第１焦点５が光源１の近傍に位置し、第２の焦点６が光源１の光軸４上における光源１の前方に位置している。この第１の反射鏡２には、出射スリット７が開口されている。出射スリット７は第１の焦点５及び第２の焦点６を結ぶ線上に位置するように形成されており、第１の反射鏡２はこの出射スリット７が光源１の光軸４上に位置するように配置される。
【００２５】
第２の反射鏡３は第１の反射鏡２と光源１とに間に設けられている。この第２の反射鏡３は、その第１焦点８が第１の反射鏡２の第２焦点６近傍に位置し、第２焦点９が、出射スリット７近傍に位置するように光源１の光軸４上に配置される。
【００２６】
この実施の形態では、光源１が発すると、その光は、第１の反射鏡２の上下端を結んだ範囲Ａ内で出射して照明が行われる。そして、光源１から発光した光は、第１の反射鏡２に到達して反射される。このとき、第１の反射鏡２の第１焦点５が光源１の近傍に位置しているため、反射した光は第１の反射鏡２の第２焦点６を通過する。この第１の反射鏡２の第２焦点６は、第２の反射鏡３の第１焦点８の近傍に位置しているため、第１の反射鏡２からの反射光は、第２の反射鏡３の第１焦点８を通過して第２の反射鏡３に到達して反射される。この反射光は第２の反射鏡３の第２焦点９に集光されるが、この第２焦点９が第１の反射鏡２の出射スリット７近傍に位置しているため、反射光は出射スリット７を通過して前方を照明する。
【００２７】
このような実施の形態では、光源１からの光は、光源１の光軸上に配置された第１及び第２の反射鏡２，３によって反射されて前方に出射し、光源１の光軸４方向に向かう光が直接に出射スリット７から出射することがない。このため、光源１だけが際だって明るくなることがなく、しかも光源１からの光が拡散するため、均等で一様の明るさで照明することができる。
【００２８】
なお、図示を省略するが、この実施の形態及び後述する他の実施の形態において、いずれの反射鏡も、紙面を貫通する方向に伸びた形状のものが使用されるものであり、これにより、照明装置は横長の線状の光を出射することが可能となっている。
【００２９】
（実施の形態２）
図２は実施の形態２を示す。この実施の形態では、実施の形態１の構成に加えて、第３の反射鏡１１及び第４の反射鏡１２を設けるものである。
【００３０】
第３の反射鏡１１は、第２の反射鏡３と光源１との間に配置される。この第３の反射鏡１１は光源１側に頂点を有した双曲面となっていると共に、光源１の光軸４上に位置している。従って、光源１からの光は、その双曲面の焦点に光源があるような方向に反射される。
【００３１】
第４の反射鏡１２は、光源１側に配置されている。この第４の反射鏡１２は、その焦点が第３の反射鏡１１の焦点の近傍に位置した放物面となっている。符号１３は、この第４の反射鏡１２の焦点であると共に第３の反射鏡１１の焦点となっている点である。
【００３２】
この実施の形態において、光源１から出射した光の内、光軸４近辺の光は第３の反射鏡１１によって反射される。この反射光は焦点１３から出るように反射されて第４の反射鏡１２に向かい、第４の反射鏡１２によって前方に反射される。ここで、符号１３で示すように、第４の反射鏡１２の焦点が第３の反射鏡１１の焦点近傍に位置しているため、第４の反射鏡１２唐の反射光は、光軸４と略平行となって出射する。
【００３３】
一方、光源１からの光は、第１の反射鏡２にも向かっており、実施の形態１と同様に、第１の反射鏡２及び第２の反射鏡３によって前方に反射される。従って、この実施の形態では、実施の形態１と同様に、光源１だけが際だって明るく見えることがなくなると共に、均等な一様な照明を行うことができる。これに加えて、この実施の形態では、光軸１近辺の光が第３の反射鏡１１及び第４の反射鏡１２によって、前方に反射される。従って、実施の形態１では、図１のハッチングＢで示す部分の光が遮断されていたのに対し、この実施の形態では、ハッチングＢ部分の光を有効に利用することが可能となっている。このため、光源１からの光量を照明に十分に活用することができる。
【００３４】
（実施の形態３）
図３及び図４は、実施の形態３を示す。この実施の形態では、第１の反射鏡２が楕円面となっているが、実施の形態１及び２のように出射スリット７が形成されていない。一方、第２の反射鏡３は、第１の反射鏡２と光源１との間に配置されて、第１の反射鏡２からの反射光を第１の反射鏡２の前方に反射するようになっている。第２の反射鏡３は、楕円面となっており、その第１焦点８が第１の反射鏡２の第２焦点６近傍に位置するように配置される。又、第２の反射鏡３の第２焦点９は、第１の反射鏡２の楕円面の軌跡上に位置している。
【００３５】
この実施の形態において、第１の反射鏡２の第１及び第２焦点５，６を結ぶ焦点軸１６に対し、光源１が傾斜して設けられるものである。この傾斜は、光源１が出射する光の出射角度に合わせて決定される。すなわち、図４に示すように、光源１が片側に対し角度αの範囲で円錐形で光を出射する場合、光源１はその光軸４が焦点軸１６に対して角度αで傾斜するように設けられる。これに対し、第１の反射鏡２は、角度αで傾斜している光源１からの光の全てを受ける幅βを有するものが使用される。従って、幅βは角度αの２倍となる。第１の反射鏡２をこのような幅βに設定することにより、光源１から出射する光の全てを受け止めることができる。
【００３６】
この実施の形態では、光源１からの光は、実施の形態１と同様に、第１の反射鏡２で反射されて第２の反射鏡３に入射して前方に反射される。光源１からの光の内、光軸４に沿った光は矢印１７で示すように、第２の反射鏡３によって水平方向に反射される。一方、光軸４の上下両側の光は光軸４に対する上下位置によって、上下方向に拡散する。これにより、矢印１８，１９で示す上下の範囲で拡散した状態で照明することができる。
【００３７】
このような実施の形態では、光源１からの光を第１の反射鏡２が全て受け止めて反射するため、光源１からの光量の全てを有効に活用することができる。又、第１の反射鏡２出射スリットしなくても光を出射させることができため、第２の反射鏡を簡単に成形できると共に、出射スリットの位置合わせが不要となるため、配置を簡単に行うことができる。
【００３８】
図５はこの実施の形態の変形々態を示す。この形態では、反射面が放物面となっている第２の反射鏡３を用いるものである。放物面となっている第２の反射鏡３を用いることにより、第１の反射鏡２で反射した光源１からの光を第１の反射鏡２の前方に反射することができ、上述と同様に作用することができる。
【００３９】
（実施の形態４）
図６及び図７は実施の形態４を示す。この実施の形態では、実施の形態３の構成を一の照明アッシーとし、この照明アッシーの複数が多段状に配置されて構成されている。図６及び図７の形態では、照明アッシーが２段以上に配置されるものであり、第１段の照明アッシー２１及び第２段の照明アッシー２２を少なくとも備えている。各照明アッシー２１，２２は、実施の形態３と同様な構成となっており、このため、第１及び第２の反射鏡２，３が対向していると共に、それぞれの光源１が傾斜して配置されている。このように照明アッシー２１，２２を多段状に設ける構造では、各照明アッシー２１，２２の出射光量の総和によって照明がなされるため、明るく照明することができる。
【００４０】
複数段の照明アッシーにおいては、段状に隣接する照明アッシーの反射鏡が連設状に一体的に形成されるものである。すなわち、第１段の照明アッシー２１における第２の反射鏡３と、第２段の照明アッシー２２における第１の反射鏡２とが連設状に一体的に形成されており、第２段の照明アッシー２２における第２の反射鏡３と、第３段の照明アッシーにおける第１の反射鏡とが連設状に一体的に形成されている。このように多段となっている照明アッシーの反射鏡が相互に連設した構造では、反射鏡の数を少なくすることができるため、全体としての部品点数が少なくなり、組立を簡単に行うことができるメリットがある。
【００４１】
図８はこの実施の形態の変形々態を示す。この形態では、隣接して多段状に配置されている照明アッシー２１，２２における第１の反射鏡２が相互に連設されて一体的に形成されるものである。このため、第１段の照明アッシー２１の第１の反射鏡２が第２の反射鏡３の下側に位置しており、下段の第２段の照明アッシー２２の第１の反射鏡３と連設されている。この形態においても、上述と同様に、部品点数が少なくなり、組立を簡単に行うことができる。
【００４２】
（実施の形態５）
この実施の形態では、以上の実施の形態における反射鏡２，３に変更を加えるものである。いずれの実施の形態においても、反射鏡２，３は透明樹脂によって成形されるが、この形態では、これらの面に対して光輝処理を行うものである。図９はこの形態を示し、反射鏡２，３に光輝処理２５が施されている。光輝処理は例えば、アルミニウム蒸着等によって行うことができる。
【００４３】
光輝処理２５は、光源１から離れる側の面に対して行われる。すなわち、光輝処理２５は、光が出射する側の面に対して行われるものであり、このような光輝処理を施すことにより、きらきら輝いた面となって見える。そして、光源１が発光することにより、輝いた面の間から線状に光が出射して照明が行われる。従って、高級感のある良好な見栄えの照明を行うことができる。
【００４４】
さらに、この形態では、反射鏡２，３を着色された透明樹脂によって形成することも可能である。これにより、反射鏡２，３が色付けされて見え、この間から照明光が出射するため、同様に高級感のある興趣性の富んだ照明装置とすることができる。
【００４５】
（実施の形態６）
図１０及び図１１は実施の形態６をそれぞれ示す。この実施の形態では、以上の照明装置或いは照明アッシーを複数配置するものであり、符号３０で示す位置が照明装置或いは照明アッシーの配置位置を示す。図１０では、配置位置３０が多角形（正五角形）の各辺上に設けられており、図１１では、同心円状の複数箇所に設けられている。各配置位置３０に設けた照明装置或いは照明アッシーは、いずれも上述した作用を行うものであり、このように複数の照明装置或いは複数の照明アッシーを多角形状や同心円上に配置することにより、均等にしかも明るく照明することができる。
【００４６】
（実施の形態７）
図１２〜図１５は実施の形態７であり、図１２に示すように、多段状に設けられた照明アッシー２１，２２の反射鏡２、３に対する処理を行う形態である。この形態では、図１３に示すように、反射鏡２，３（以下、反射鏡３１）における光源１側の面に凹凸処理３９を行うものである。図１４（ａ）〜（ｃ）は凹凸処理３９の形状を示し、（ａ）では、鋸状突起３２が反射鏡３１の長さ方向に沿って連続して形成され、（ｂ）では、円弧状突起３３が同方向に連続して形成され、（ｃ）では、円弧状凹部３４が連続して形成されている。このような凹凸処理を施すことにより、光源１からの光を良好に拡散させることができるため、さらに明るく照明を行うことができる。
【００４７】
かかる凹凸処理は、これらの限定されるものではなく、その他の形状であっても良い。又、凹凸処理３９は図１５（ａ）〜（ｃ）で示すように、反射鏡３１の長さ方向と異なった方向に施しても良く、（ａ）のように長さ方向と略直交する方向や、（ｂ）のように光源を中心とした同心円状や、（ｃ）のように碁盤目状であっても良い。
【００４８】
【発明の効果】
請求項１の発明によれば、光源からの光の反射の繰り返しによって光を拡散するため、光源だけが際だって明るくなることがなく、均等で一様の明るさで照明することができる。
【００４９】
請求項２の発明によれば、第１の反射鏡で反射した光を第２の反射鏡が反射した出射スリットから出射させるため、光源だけが際だって明るくなることがなく、均等で一様の明るさで照明することができる。
【００５０】
請求項３の発明によれば、請求項２の発明の効果に加え、第３の反射鏡及び第４の反射鏡を用いるため、光源からの光量の全てを有効に活用できる。
【００５１】
請求項４の発明によれば、光源の光量の全てを有効に活用することができ、しかも、第１の反射鏡を簡単に成形できると共に、出射スリットの位置合わせが不要となる。
【００５２】
請求項５の発明によれば、光源からの光を前方に確実に拡散することができる。
【００５３】
請求項６の発明によれば、複数の照明アッシーによって照明を行うため、明るく照明することができ、しかも段状に隣接する一の照明アッシーの第１の反射鏡と他の照明アッシーの第２の反射鏡とを連設状に一体的に形成するため、全体としての部品点数が少なくなり、組立を簡単に行うことができる。
【００５４】
請求項７の発明によれば、均等にしかも明るく照明することができる。
【００５５】
請求項８の発明によれば、第１の反射鏡、第２の反射鏡の面が光って見えるため、高級感を付与することができる。
【図面の簡単な説明】
【図１】本発明の実施の形態１の断面図である。
【図２】本発明の実施の形態２の断面図である。
【図３】本発明の実施の形態３の断面図である。
【図４】実施の形態３の光源を示す斜視図である。
【図５】実施の形態３の変形々態を示す断面図である。
【図６】本発明の実施の形態４の断面図である。
【図７】実施の形態４の斜視図である。
【図８】実施の形態４の変形々態を示す断面図である。
【図９】実施の形態５の断面図である。
【図１０】実施の形態６の断面図である。
【図１１】実施の形態６の変形々態の断面図である。
【図１２】実施の形態７の概略を示す斜視図である。
【図１３】図１２のａ−ａ線断面図である。
【図１４】（ａ）〜（ｃ）は、図１３におけるＥ部拡大断面図である。
【図１５】図１２におけるＦ部拡大正面図である。
【図１６】従来の照明装置の断面図である。
【図１７】従来の照明装置の斜視図である。
【符号の説明】
１  光源
２  第１の反射鏡
３  第２の反射鏡
４  光軸
５  第１の反射鏡の第１焦点
６  第１の反射鏡の第２焦点
７  出射スリット
８  第２の反射鏡の第１焦点
９  第２の反射鏡の第２焦点
１１  第３の反射鏡
１２  第４の反射鏡
２１  ２２  照明アッシー
【図１】
0003822014.tif 000002
【図２】
0003822014.tif 000003
【図３】
0003822014.tif 000004
【図４】
0003822014.tif 000005
【図５】
0003822014.tif 000006
【図６】
0003822014.tif 000007
【図７】
0003822014.tif 000008
【図８】
0003822014.tif 000009
【図９】
0003822014.tif 000010
【図１０】
0003822014.tif 000011
【図１１】
0003822014.tif 000012
【図１２】
0003822014.tif 000013
【図１３】
0003822014.tif 000014
【図１４】
0003822014.tif 000015
【図１５】
0003822014.tif 000016
【図１６】
0003822014.tif 000017
【図１７】
0003822014.tif 000018